(57)【要約】      （修正有）【課題】電線管路から分岐管路を分岐するとき、電線管路内の既設の配線類を損傷させることなく、通線状態を維持したままで分岐管路を構成できる配線分岐用管継手装置を提供する。【解決手段】分岐すべき電線管路の分岐部位で切断除去した除去部分の端部相互間に跨って除去部分の下半分を覆う断面半円形状の下半体２と、同じく除去部分の端部相互間に跨って除去部分の上半分を覆う断面半円形状で、分岐管路に連繋する分岐管体８を連結してあって、下半体２と一体に組み立てられる上半体５とから成る。下半体２、上半体５それぞれの端部と電線管路の端部との接合装着部位には、調整パッキン材４，７を介装する。分岐管体８は、上半体５に対して傾斜させて筒状に一体状に分岐接続すると共に、傾斜している鋭角側で、分岐管体８下面と上半体５上面との間を連結片９にて連結する。下半体２、上半体５の端縁相互は凹凸嵌合部１０によって噛み合わせ状に組み立てる。【選択図】図１
0003177641.tif 000002
【実用新案登録請求の範囲】
【請求項１】
分岐すべき電線管路における分岐部位で、所定長さで切断除去される除去部分の端部相互間に跨って除去部分の下半分を覆う断面半円形状の下半体と、同じく除去部分の端部相互間に跨って除去部分の上半分を覆う断面半円形状で、分岐すべき分岐管路に連繋される分岐管体が連結されていて、前記下半体と一体に組み立てられる上半体とから成ることを特徴とする配線分岐用管継手装置。
【請求項２】
下半体、上半体それぞれの端部と、電線管路の端部との接合装着部位には、調整パッキン材を介装してある請求項１に記載の配線分岐用管継手装置。
【請求項３】
分岐管体は、上半体に対して傾斜させて筒状に一体状に分岐接続すると共に、傾斜している鋭角側で、この分岐管体下面と上半体上面との間を側面から見て三角形状の連結片にて連結してある請求項１または２に記載の配線分岐用管継手装置。
【請求項４】
下半体と上半体とは、上下の端縁相互に対向して噛み合うように形成した凹凸嵌合部構造によって筒状に組み立てられるようにしてあって、この凹凸嵌合部は、下半体あるいは上半体のいずれか一方の上向きあるいは下向きの端縁では凸状に、いずれか他方の下向きあるいは上向きの端縁では凹状に形成されていて、一方の端縁における断面でほぼ中央位置に、他方の端縁における断面でほぼ中央位置に形成した凹部内に嵌り込む突部を形成すると共に、この突部の内方側では対向する他方の端縁の内側部位である内側端面部に当接する内側段差部を、突部の外方側では対向する他方の端縁の前記凹部の外方側に形成してある外側端面部に当接する外側段差部をそれぞれ有している請求項１乃至３のいずれかに記載の配線分岐用管継手装置。
【請求項５】
下半体における電線管路に対する装着部位の端部には段差解消部を配置形成してあり、この段差解消部は、下半体の円弧状の内側面に沿って配置されるよう湾曲していて、分岐管体から挿入される通線部材の挿入方向の前方側に至るに伴い次第に高くなる案内傾斜面と、電線管路の端部面に当接すべく下半体の内側面に対しほぼ直立している当接面とを備えた断面でほぼ直角三角形状を呈して成り、案内傾斜面は、上半体における分岐管体における傾斜方向に対しほぼ向き合うようにしてある請求項１乃至４のいずれかに記載の配線分岐用管継手装置。
【考案の詳細な説明】
【技術分野】
【０００１】
この考案は、例えば電柱の移設・立替等に伴い地中等に埋設されている電線管路に収容されている既設の各種の電線・ケーブル等とは別に新たな電線・ケーブル等を配線収納すべく、既設の電線管路から分岐させて新たな電線管路を形成するとき、既配線の電線・ケーブル等を遮断することなく、新たな電線・ケーブル等を収容する分岐用の電線管路を分岐構成できる配線分岐用管継手装置に関する。
【背景技術】
【０００２】
電力あるいは通信需要等の増加に伴い、これらを需要先に供給する電力線、通信ケーブル等を新設したり、移設したりするため、これらを支持している電柱等の新設、移設その他が必要となることがある。これに伴い、例えば地中に埋設されている既設の電線管路の所定部位から、この電線管路内に収納されている既設の電線・ケーブル等の配線類とは別に新たな配線類を配線収容するよう新たな電線管路を分岐接続する事態が生じる。ただ、新たな電線管路を分岐形成するとしても、内部に配線収納してある配線類はそのまま維持しなければならないから、分岐管路用の継手を接続するのに電線管路自体をそのまま破断すると、内部の配線類を損傷させることにもなるから、慎重な作業が要求される。
【０００３】
そうした点から、従来では例えば特許文献１に示される地中電線路の分岐処理方法、特許文献２に示されるケーブル保護管の分岐工法等が提案されている。特許文献１の分岐処理方法は、地中電線路敷設後に分岐が必要と思われる個所を想定して、この個所にあらかじめケーブルの分岐処理が可能な長さを有する割継手を用いて管路の接続を行っておき、分岐処理が必要な際には割継手を取り外して分岐処理を行うとする。特許文献２の分岐工法は、ケーブル保護管の外管内に収納してある内管を分岐させるに際し、外管に形成した開口部を利用して内管を所定長さ分で切除し、この切除部分の端部相互間に連通させた分岐部材に接続してある内分岐管を開口部から通して外管の外側に突出させるのであり、通信ケーブルは内分岐管から内管に通線できるとする。
【先行技術文献】
【特許文献】
【０００４】
【特許文献１】特開平９−１３５５１４号公報
【特許文献２】特開２００４−８０９５３号公報
【考案の概要】
【考案が解決しようとする課題】
【０００５】
ところが、特許文献１の分岐処理方法によると、分岐可能な個所は想定されているから、この想定個所と異なる個所で分岐させる必要が生じるとこれに対処できず、面倒であり、またあらゆる個所での分岐を想定して割継手を接続することは現実的ではない。特許文献２の分岐工法によると、内管内に既設の通信ケーブルが配線収納されていると、この通信ケーブルを損傷しないように慎重な作業での内管自体の部分的な切除は可能であっても、その既設の通信ケーブルをそのままにして切除部分の端部同士を筒状の分岐部材で接続することはほとんど不可能である。もし、この通線作業を実施しようとすると、既設の通信ケーブルを一旦は除去し、再度通線しなければならないから、一時的にでも通信を遮断し、あるいは通信途絶状態が生じることにもなり、需要家にとっては許容できるものではない。
【０００６】
そこでこの考案は上述したような従来存した諸事情に鑑み案出されたもので、その目的は既設の電線管路において、例えば電柱等の移設・立替等に伴い新たに電線管路を分岐形成するとき、電線管路内に配線収納されている既設の電線・ケーブル等の配線類を損傷させることなく、通線状態を維持したままで分岐管路を構成でき、構成後の電線管路自体、更には電線管路内の既設あるいは新設のいずれの配線類も外部からの衝撃、振動その他から十分に保護されるものとし、分岐管路の構成作業を簡易、迅速に遂行できるようにした配線分岐用管継手装置を提供することにある。
【課題を解決するための手段】
【０００７】
上述した課題を解決するため、後述する考案を実施するための形態における符号を付記して説明すると、この考案にあっては、分岐すべき電線管路Ｐにおける分岐部位で、所定長さで切断除去される除去部分の端部相互間に跨って除去部分の下半分を覆う断面半円形状の下半体２と、同じく除去部分の端部相互間に跨って除去部分の上半分を覆う断面半円形状で、分岐すべき分岐管路に連繋される分岐管体８が連結されていて、前記下半体２と一体に組み立てられる上半体５とから成ることを特徴とする。
下半体２、上半体５それぞれの端部と、電線管路Ｐの端部との接合装着部位には、調整パッキン材４，７を介装して構成することができる。
分岐管体８は、上半体５に対して傾斜させて筒状に一体状に分岐接続すると共に、傾斜している鋭角側で、この分岐管体８下面と上半体５上面との間を側面から見て三角形状の連結片９にて連結して構成することができる。
下半体２と上半体５とは、上下の端縁相互に対向して噛み合うように形成した凹凸嵌合部１０構造によって筒状に組み立てられるようにしてあって、この凹凸嵌合部１０は、下半体２あるいは上半体５のいずれか一方の上向きあるいは下向きの端縁では凸状に、いずれか他方の下向きあるいは上向きの端縁では凹状に形成されていて、一方の端縁における断面でほぼ中央位置に、他方の端縁における断面でほぼ中央位置に形成した凹部１５内に嵌り込む突部１１を形成すると共に、この突部１１の内方側では対向する他方の端縁の内側部位である内側端面部１６に当接する内側段差部１２を、突部１１の外方側では対向する他方の端縁の前記凹部１５の外方側に形成してある外側端面部１７に当接する外側段差部１３をそれぞれ有して構成することができる。
下半体２における電線管路Ｐに対する装着部位の端部には段差解消部２０を配置形成してあり、この段差解消部２０は、下半体２の円弧状の内側面に沿って配置されるよう湾曲していて、分岐管体８から挿入される通線部材Ｍの挿入方向の前方側に至るに伴い次第に高くなる案内傾斜面２１と、電線管路Ｐの端部面に当接すべく下半体２の内側面に対しほぼ直立している当接面２２とを備えた断面でほぼ直角三角形状を呈して成り、案内傾斜面２１は、上半体５における分岐管体８における傾斜方向に対しほぼ向き合うようにすることで構成することができる。
【０００８】
以上のように構成されたこの考案に係る配線分岐用管継手装置にあって、既設の電線管路Ｐにおいて、分岐管路を構成すべき所定箇所で電線管路Ｐの一部を切断除去し、その切断除去部位を筒状に覆うように半割状の下半体２、上半体５を組立て装着することで電線管路Ｐから、既設の配線類Ｃを損傷させることなく、分岐管路を連繋させる分岐管体８を形成させる。
下半体２、上半体５それぞれの端部と電線管路Ｐとの間隙に介装される調整パッキン材４，７は、下半体２、上半体５それぞれの内側面と電線管路Ｐとの外側面との間を閉塞させ、がたつきを防止し、一体性を確保させる。
下半体２と上半体５とのそれぞれの上下の端縁は、これらを凹凸嵌合させる凹凸嵌合部１０によって筒状に組み立てられ、凹凸嵌合部１０自体は、一方の端縁では突部１１の内外に内側段差部１２、外側段差部１３を備え、他方の端縁では凹部１５の内外に内側端面部１６、外側端面部１７を備えていることで、しっかりと噛み合わせて、相互間の離脱を阻止させている。
上半体５の分岐管体８側から挿入される通線部材Ｍは、下半体２における通線部材Ｍの挿入方向の前方側の端部に配置形成の段差解消部２０によって、電線管路Ｐとの間で生じる電線管路Ｐの管壁厚さに相当する段差を乗り越えさせ、電線管路Ｐ内方への通線部材Ｍの差入れ作業を容易にさせる。
【考案の効果】
【０００９】
この考案は以上説明したように構成されているため、既設の電線管路Ｐにおいて、例えば電柱等の移設・立替等に伴い新たに分岐管路を分岐接続するとき、その分岐箇所の電線管路Ｐの一部を切断除去し、下半体２、上半体５から成る継手装置１を装着することで分岐管路を連繋させる分岐管体８を電線管路Ｐに簡単に分岐形成できる。しかも、その構成に際し、電線管路Ｐ内に配線収納されている既設の電線・ケーブル等の配線類Ｃを損傷させることなく、通線状態を維持したままで分岐管路を構成できる。また、構成後の電線管路Ｐ自体、更には電線管路Ｐ内の既設あるいは新設のいずれの配線類Ｃも外部からの衝撃、振動その他から十分に保護され、例えば作業時に断線することなく、断線に伴う通信障害その他も発生せず、需要家における業務の支障になることもない。
【００１０】
すなわちこれはこの考案において、分岐すべき電線管路Ｐにおける分岐部位で、所定長さで切断除去した除去部分の端部相互間に跨って上下から覆う断面半円形状の下半体２と、同じく上半体５とを組み立てるものとし、上半体５には分岐すべき分岐管路に連繋される分岐管体８を連結してあるからであり、これによって、既設の電線管路Ｐからの分岐管路の構成、配線類Ｃに対する断線更には損傷防止、分岐用の配線類Ｃの通線を含めた一連作業の簡易迅速性が得られる。
【００１１】
また、下半体２、上半体５それぞれの端部と、電線管路Ｐの端部との接合装着部位には、調整パッキン材４，７を介装してあるから、電線管路Ｐの切断除去部分の端部におけるこの考案継手装置１との間隙によって生じ得るがたつきを防止し、その間隙を閉塞して外部からの夾雑物等の侵入を阻止し、電線管路Ｐ内の配線環境を維持する。
【００１２】
上半体５に分岐接続した分岐管体８は、傾斜している鋭角側で分岐管体８下面と上半体５上面との間を連結片９にて連結してあるから、上半体５から分岐した分岐管体８の上半体５との一体化を図り、分岐管体８に連繋構成する分岐管路の分岐形態を維持できる。
【００１３】
下半体２と上半体５との上下方向に沿う端縁相互間は凹凸嵌合部１０によって噛み合うようにしてあり、この凹凸嵌合部１０は、一方の端縁では突部１１の内外に内側段差部１２、外側段差部１３を備え、他方の端縁では凹部１５の内外に内側端面部１６、外側端面部１７を備えているから、突部１１と凹部１５との凹凸嵌合によって下半体２、上半体５それぞれの端縁の内外方向では互いに噛み合うことでしっかりと結合し、外部からの衝撃、振動その他によっても脱離することがない。
【００１４】
更には、分岐管体８側から挿入される通線部材Ｍの挿入方向の前方である下半体２の端部には、段差解消部２０を配置形成してあり、この段差解消部２０には、通線部材Ｍの挿入方向に向き合う案内傾斜面２１を挿入方向の前方側に至るに伴い次第に高くなるようにして形成してある。そのために、分岐管体８側から挿入された通線部材Ｍの先端が当たるときには電線管路Ｐとの段差を乗り越えさせ、段差に引っ掛かることなく電線管路Ｐの内方側に通線部材Ｍをスムーズに案内させ、配線類Ｃの通線作業を円滑に遂行できる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す分解斜視図である。
【図２】同じく分岐接続後の一部切欠側面図である。
【図３】同じく図２における一部の拡大を含む矢視断面図である。
【図４】同じく（Ａ）乃至（Ｅ）は分岐管路の構成、分岐配線の通線を示す作業手順を説明する概要図である。
【考案を実施するための形態】
【００１７】
以下、図面を参照してこの考案を実施するための一形態を説明すると、図において示される符号１は電力用、通信用の電線、ケーブル等の配線類Ｃを各別にそれぞれで通線収納している電線管路Ｐにおける配線類Ｃの分岐部位で、所定長さで切断除去される除去部分に組立装着されるこの考案に係る継手装置であり、例えば合成樹脂材、コンクリート材、再生合成樹脂材、木材その他の適宜な素材によって形成されている。この継手装置１は、切断除去部位を上下方向から突き合わせ状にして覆うことで筒状に組み立てられる半割状の下半体２、上半体５によって構成されている。すなわち、除去部分の端部相互間に跨って除去部分の下半分を覆う断面半円形状の下半体２と、同じく除去部分の端部相互間に跨って除去部分の上半分を覆う断面半円形状で、分岐すべき分岐管路に連繋される分岐管体８が連結されている上半体５とが一体的に組み立てられるようにして成る。
【００１８】
下半体２は、電線管路Ｐにおける除去部分の端部の下方位外側面に密着状に当てがわられるよう、この下半体２における端部の内径は電線管路Ｐの外径にほぼ対応していて、図示にあっての下半体２は、この下半体２の端部それぞれは電線管路Ｐに比しやや大径となっている拡開端部３が必要に応じて形成されるものとしてある。また、図示のように所定肉厚のシート状を呈する軟弾性の調整パッキン材４が電線管路Ｐと下半体２との間に介装されるようにしてあって、電線管路Ｐと下半体２とに間隙が生じないように配慮する。
【００１９】
また、上半体５は、下半体２と同様に、電線管路Ｐにおける除去部分の端部の上方位外側面に密着状に当てがわられるよう、この上半体５における端部の内径は電線管路Ｐの外径にほぼ対応していて、図示にあっての上半体５は、この上半体５の端部それぞれは電線管路Ｐに比しやや大径となっている拡開端部６が必要に応じて形成されるものとしてある。また、図示のように所定肉厚のシート状を呈する軟弾性の調整パッキン材７が電線管路Ｐと上半体５との間に介装されるようにしてあって、電線管路Ｐと上半体５とに間隙が生じないように配慮する。
【００２０】
この上半体５には、例えばその中央部位に、電線管路Ｐから分岐構成させる分岐管路に連繋される筒状の分岐管体８を例えば傾斜状にして一体状に分岐接続してある。この分岐管体８は、図示のように傾斜している鋭角側で、この分岐管体８下面と上半体５上面との間を側面から見て三角形状の連結片９にて連結し、分岐管体８と上半体５との一体化を図り、例えば外部からの衝撃その他による分岐管体８の歪み、脱離その他が生じないように配慮し、分岐形態を維持できるようにしてある。
【００２１】
尚、分岐管体８に連繋される分岐管路は、分岐管体８内に嵌め入れられたり、逆に被せるように嵌め合わせられたりし、その連繋態様は任意であり、分岐管路構成に対応して分岐管体８が選定される。
【００２２】
下半体２と上半体５とは、それぞれの相互接合で筒状に組み合わせられるときの上下の端縁相互に対向して噛み合うように形成した凹凸嵌合部１０構造によって、電線管路Ｐの直径方向に沿っての位置ずれが生じずにしっかりと組み立てられるようにしてある。この凹凸嵌合部１０は、図１、図３に示すように下半体２あるいは上半体５のいずれか一方の上向きあるいは下向きの端縁では凸状に、いずれか他方の下向きあるいは上向きの端縁では凹状に形成されていて、一方の端縁における断面でほぼ中央位置に、他方の端縁における断面でほぼ中央位置に形成した凹部１５内に嵌り込む突部１１を形成すると共に、この突部１１の内方側では対向する他方の端縁の内側部位である内側端面部１６に当接する内側段差部１２を、突部１１の外方側では対向する他方の端縁の前記凹部１５の外方側に形成してある外側端面部１７に当接する外側段差部１３をそれぞれ有して成る。また、一方の端縁における外側段差部１３は内側段差部１２に比し他方の端縁側に対してやや奥まった位置、すなわち他方の端縁における外側端面部１７は内側端面部１６に比し一方の端縁に比しやや奥まった位置にあるように離れており、突部１１あるいは凹部１５の内外で高さを異ならしめることで凹凸嵌合による噛み合いが確実になるようにしてある。
【００２３】
この凹凸嵌合部１０において、下半体２の端縁が凹部構造で、上半体５の端縁が凸部構造として図示されているも、下半体２の端縁が凸部構造で、上半体５の端縁が凹部構造であっても良く、また下半体２あるいは上半体５のいずれかにおいて、両側の端縁のいずれかが凹部構造、凸部構造であっても、これに対向する他方の端縁が凸部構造、凹部構造であれば足り、その嵌合構造は特に限定されない。尚、必要があれば、凹凸嵌合部１０相互間を接着剤にて接着することで一層強固に固定することも可能である。
【００２４】
また、下半体２の内側面において、分岐管路内に配線収納される分岐用の配線類Ｃを通線させるべく、上半体５における分岐管体８の開口側から挿入される配線類Ｃ用の通線部材Ｍ（メッセンジャーワイヤー）を円滑に挿入案内させる段差解消部２０が設けられている。この段差解消部２０は、電線管路Ｐの外側から被せるように装着される下半体２の内側面と、電線管路Ｐにおける切断除去部分の端部との間で生じる電線管路Ｐの管壁による段差を解消するのであり、分岐管路側から挿入される通線部材Ｍが段差によって引っ掛かることなく、電線管路Ｐ内に円滑に差し入れることができるようにしている。
【００２５】
図１、図２に示すように、この段差解消部２０は、分岐管路側から通線部材Ｍを挿入するときの通線部材Ｍ先端の挿入方向前方に存する電線管路Ｐの端部位置に対応する下半体２の内側面に配置形成されている。すなわち、下半体２の円弧状の内側面に沿って配置されるよう湾曲していて、挿入方向の前方側に至るに伴い次第に高くなる案内傾斜面２１と、電線管路Ｐの端部面に当接すべく下半体２の内側面に対しほぼ直立している当接面２２とを備えた断面でほぼ直角三角形状を呈して成る。この段差解消部２０の案内傾斜面２１は、上半体５における分岐管体８における傾斜方向に対しほぼ向き合っており、分岐管体８の開口側から挿入される通線部材Ｍの先端が案内傾斜面２１に当たってもこれを乗り越えて電線管路Ｐ内に差し入れられるようにしている。尚、この段差解消部２０は、下半体２の一方の端部側に寄せて、案内傾斜面２１を他方の端部側に向けた状態で予め固定されている。
【００２６】
尚、図中符号２５は締着バンドであり、凹凸嵌合部１０によって嵌合させて組み立てた下半体２、上半体５の外側を巻回して固定するもので、固定部位を囲繞して尾錠等によってしっかりと固定されるようにしてある。
【００２７】
次にこれの使用の一例を図４に示した作業手順と共に説明すると、例えば電柱の移設等に伴い、既設の電線管路Ｐから分岐管路を構成する分岐箇所において、電線管路Ｐの一部を継手装置１の長さに対応して切断除去する（図４（Ａ）、（Ｂ）参照）。次にこの切断除去部位の端部相互間に跨るように下半体２を調整パッキン材４を介装させて当てがい（図４（Ｃ）参照）、更に下半体２に凹凸嵌合部１０によって端縁相互を噛み合わせて上半体５を同様に切断除去部位の端部相互間に跨がせて装着し、更に締着バンド２５にて囲繞固定する（図４（Ｄ）参照）。然る後、分岐管体８の開口部から通線部材Ｍを繰り出し挿入し、所定位置に到達した通線部材Ｍ端に繋げた配線類Ｃを、通線部材Ｍを引き戻すように引き寄せることで分岐管体８部位まで通線させれば良く、こうすることで所定の配線作業を完了する（図４（Ｅ）参照）。
【００２８】
尚、必要があれば下半体２における拡開端部３、上半体５における拡開端部６と電線管路Ｐとの間の間隙には適当な閉塞材が充填される。
【符号の説明】
【００２９】
Ｃ…配線類                              Ｐ…電線管路
Ｍ…通線部材
１…継手装置                            ２…下半体
３…拡開端部                            ４…調整パッキン材
５…上半体                              ６…拡開端部
７…調整パッキン材                      ８…分岐管体
９…連結片
１０…凹凸嵌合部                        １１…突部
１２…内側段差部                        １３…外側段差部
１５…凹部                              １６…内側端面部
１７…外側端面部
２０…段差解消部                        ２１…案内傾斜面
２２…当接面
２５…締着バンド
【図１】
0003177641.tif 000003
【図２】
0003177641.tif 000004
【図３】
0003177641.tif 000005
【図４】
0003177641.tif 000006